(57)【要約】      （修正有）【課題】ライン反転の階調データをドット反転にて出力できるアナログ薄膜トランジスタ液晶表示パネル用のドット反転駆動装置を提供する。【解決手段】アナログ薄膜トランジスタ液晶表示（ＴＦＴ‐ＬＣＤ）パネル駆動装置は、制御回路およびソース・ドライバＩＣを備え、制御回路が、ＴＦＴ‐ＬＣＤパネルの階調信号の順番および極性を再構成し、階調信号を２つのグループに分け、グループのうちの一方を各フレームの２つ半周期のうちの一方において出力する。ソース・ドライバＩＣが、制御回路によって出力される階調信号を受け取り、第１半周期において、第１のグループの１つの走査線を単位として使用して、ソース・ドライバＩＣが第１のグループの画素へと階調信号を出力し、第２半周期において、第２のグループの１つの走査線を単位として使用して、ソース・ドライバＩＣが第２のグループの画素へと階調信号を出力する。【選択図】図４
2007156382.tif 000002
【特許請求の範囲】
【請求項１】
アナログ薄膜トランジスタ液晶表示パネル用ドット反転駆動装置であって、
前段のシステムから薄膜トランジスタ液晶表示パネルの階調信号を受信し、階調信号の順番および極性を再構成し、次いでフレームの第１半周期において第１のグループの階調信号を出力するとともに、フレームの第２半周期において第２のグループの階調信号を出力する制御回路、および
前記制御回路によって出力された階調信号を受け取り、次いで第１半周期において、第１のグループの１つの走査線を単位として使用して、第１のグループの画素に階調信号を出力するとともに、第２半周期において、第２のグループの１つの走査線を単位として使用して、第２のグループの画素に階調信号を出力するソース・ドライバＩＣ、を有しており、
前記制御回路によって受信される階調信号が、その極性をライン反転駆動モードに従って変化させており、
前記第１のグループが、薄膜トランジスタ液晶表示パネルのすべての奇数番目のデータ線またはすべての偶数番目のデータ線であり、
前記第２のグループが、前記第１のグループを除く薄膜トランジスタ液晶表示パネルのすべてのデータ線であり、
前記第１のグループの階調信号において、奇数番目のすべての走査線が第１の極性である一方で、偶数番目のすべての走査線が第２の極性であり、
前記第２のグループの階調信号において、奇数番目のすべての走査線が前記第２の極性である一方で、偶数番目のすべての走査線が前記第１の極性である、アナログ薄膜トランジスタ液晶表示パネル用ドット反転駆動装置。
【請求項２】
前記第１の極性が、正の極性および負の極性のうちの一方であり、前記第１の極性が正の極性である場合、前記第２の極性が負の極性であり、前記第１の極性が負の極性である場合、前記第２の極性が正の極性である請求項１に記載のアナログ薄膜トランジスタ液晶表示パネル用ドット反転駆動装置。
【請求項３】
前記制御回路が、さらに第１のクロック信号および第２のクロック信号を出力し、前記ソース・ドライバＩＣが、第１半周期において前記第１のクロック信号に従って階調信号を受け取り、第２半周期において前記第２のクロック信号に従って階調信号を受け取る請求項１に記載のアナログ薄膜トランジスタ液晶表示パネル用ドット反転駆動装置。
【請求項４】
前記制御回路が、第１半周期において階調信号の受け取りを開始するよう前記ソース・ドライバＩＣに知らせるための第１の開始パルス、および第２半周期において階調信号の受け取りを開始するよう前記ソース・ドライバＩＣに知らせるための第２の開始パルスをさらに出力する請求項１に記載のアナログ薄膜トランジスタ液晶表示パネル用ドット反転駆動装置。
【請求項５】
薄膜トランジスタ液晶表示パネルのコモン電圧が、直流電圧である請求項１に記載のアナログ薄膜トランジスタ液晶表示パネル用ドット反転駆動装置。
【請求項６】
薄膜トランジスタ液晶表示パネルのコモン電圧が、交流電圧であり、前記ソース・ドライバＩＣによって出力される階調信号が第１の極性であるとき、前記コモン電圧が第１の電圧であり、前記ソース・ドライバＩＣによって出力される階調信号が第２の極性であるとき、前記コモン電圧が第２の電圧である請求項１に記載のアナログ薄膜トランジスタ液晶表示パネル用ドット反転駆動装置。
【請求項７】
前記第１の極性が、正の極性および負の極性のうちの一方であり、
前記第１の極性が正の極性である場合、前記第２の極性が負の極性であり、前記第１の電圧が階調信号の電圧よりも低く、前記第２の電圧が階調信号の電圧よりも高く、
前記第１の極性が負の極性である場合、前記第２の極性が正の極性であり、前記第１の電圧が階調信号の電圧よりも高く、前記第２の電圧が階調信号の電圧よりも低い、請求項６に記載のアナログ薄膜トランジスタ液晶表示パネル用ドット反転駆動装置。
【請求項８】
第１半周期の最後の走査線から第２半周期の最初の走査線まで、前記コモン電圧が不変であり、さらに第２半周期の最後の走査線から次のフレームの第１半周期の最初の走査線まで、やはり前記コモン電圧が不変である請求項６に記載のアナログ薄膜トランジスタ液晶表示パネル用ドット反転駆動装置。
【請求項９】
前記制御回路が、さらに、前記コモン電圧を生み出すために増幅回路によって増幅されるコモン電圧制御信号を供給する請求項６に記載のアナログ薄膜トランジスタ液晶表示パネル用ドット反転駆動装置。
【請求項１０】
アナログ薄膜トランジスタ液晶表示パネルのためのドット反転駆動方法であって、
（ａ）前段のシステムから薄膜トランジスタ液晶表示パネルの階調信号を受信するステップ、
（ｂ）階調信号の順番および極性を再構成するステップ、
（ｃ）フレームの第１半周期において、第１のグループの１つの走査線を単位として使用して、第１のグループの画素に第１のグループの階調信号を出力するステップ、および
（ｄ）フレームの第２半周期において、第２のグループの１つの走査線を単位として使用して、第２のグループの画素に第２のグループの階調信号を出力するステップ、を含んでおり、
前記ステップ（ａ）において受信される階調信号が、その極性をライン反転駆動モードに従って変化させており、
前記第１のグループが、薄膜トランジスタ液晶表示パネルのすべての奇数番目のデータ線またはすべての偶数番目のデータ線であり、
前記第２のグループが、前記第１のグループを除く薄膜トランジスタ液晶表示パネルのすべてのデータ線であり、
前記第１のグループの階調信号において、奇数番目のすべての走査線が第１の極性である一方で、偶数番目のすべての走査線が第２の極性であり、
前記第２のグループの階調信号において、奇数番目のすべての走査線が前記第２の極性である一方で、偶数番目のすべての走査線が前記第１の極性である、アナログ薄膜トランジスタ液晶表示パネルのためのドット反転駆動方法。
【請求項１１】
前記第１の極性が、正の極性および負の極性のうちの一方であり、前記第１の極性が正の極性である場合、前記第２の極性が負の極性であり、前記第１の極性が負の極性である場合、前記第２の極性が正の極性である請求項１０に記載のアナログ薄膜トランジスタ液晶表示パネルのためのドット反転駆動方法。
【請求項１２】
薄膜トランジスタ液晶表示パネルのコモン電圧が、直流電圧である請求項１０に記載のアナログ薄膜トランジスタ液晶表示パネルのためのドット反転駆動方法。
【請求項１３】
薄膜トランジスタ液晶表示パネルのコモン電圧が、交流電圧であり、前記ステップ（ｃ）および（ｄ）によって出力される階調信号が第１の極性であるとき、前記コモン電圧が第１の電圧であり、前記ステップ（ｃ）および（ｄ）によって出力される階調信号が第２の極性であるとき、前記コモン電圧が第２の電圧である請求項１０に記載のアナログ薄膜トランジスタ液晶表示パネルのためのドット反転駆動方法。
【請求項１４】
前記第１の極性が、正の極性および負の極性のうちの一方であり、
前記第１の極性が正の極性である場合、前記第２の極性が負の極性であり、前記第１の電圧が階調信号の電圧よりも低く、前記第２の電圧が階調信号の電圧よりも高く、
前記第１の極性が負の極性である場合、前記第２の極性が正の極性であり、前記第１の電圧が階調信号の電圧よりも高く、前記第２の電圧が階調信号の電圧よりも低い、請求項１３に記載のアナログ薄膜トランジスタ液晶表示パネルのためのドット反転駆動方法。
【請求項１５】
第１半周期の最後の走査線から第２半周期の最初の走査線まで、前記コモン電圧が不変であり、さらに第２半周期の最後の走査線から次のフレームの第１半周期の最初の走査線まで、やはり前記コモン電圧が不変である請求項１３に記載のアナログ薄膜トランジスタ液晶表示パネルのためのドット反転駆動方法。 
【発明の詳細な説明】
【技術分野】
【０００１】
本発明は、薄膜トランジスタ液晶表示パネル（ＴＦＴ‐ＬＣＤパネル）用の駆動装置および駆動方法に関する。さらに詳しくは、本発明は、アナログ薄膜トランジスタ液晶表示パネル用のドット反転駆動装置およびドット反転駆動方法に関する。
【背景技術】
【０００２】
図１は、従来からの中〜小型アナログＴＦＴ‐ＬＣＤパネルの駆動回路の概念図である。図１に示した駆動回路は、画像処理回路１０１、タイミング・コントローラ１０２、およびソース・ドライバＩＣ１０３を備えている。画像処理回路１０１が、画像信号１１０からＲＧＢ３色のアナログ階調信号Ｖａ、Ｖｂ、およびＶｃを抽出し、次いでＶａ、Ｖｂ、およびＶｃをソース・ドライバＩＣ１０３に供給する。画像処理回路１０１とタイミング・コントローラ１０２とが、同期信号１１２を交換する。タイミング・コントローラ１０２が、クロック信号などの制御信号１１１を、ＴＦＴ‐ＬＣＤパネルのゲート・ドライバＩＣ（図１には示されていない）およびソース・ドライバＩＣ１０３に供給する。ソース・ドライバＩＣ１０３の機能は、階調信号Ｖａ、Ｖｂ、およびＶｃをＴＦＴ‐ＬＣＤパネルの各画素へと出力することにある。
【０００３】
コストを削減するため、従来からの中〜小型アナログＴＦＴ‐ＬＣＤパネルにおいては、ライン反転駆動モードが、もっぱら使用されている。一例として図２を取り上げると、Ｇ１〜Ｇ４が、パネルにおいて隣接する４つの走査線を表わししており、Ｒ、Ｇ、およびＢは、画素を構成する赤色、緑色、および青色に対応する３つのサブ画素（ドット）を表わしている。Ｐは正の極性を表わしており、Ｎは負の極性を表わしている。図２に示されているとおり、いわゆる「ライン反転」は、同じフレームにおいて隣接する２つの走査線が反対の駆動極性を使用し、かつ同じ走査線の極性が、連続する２つのフレーム間で反転することを意味している。
【０００４】
従来からのＴＦＴ‐ＬＣＤパネルのコモン電圧は、直流であっても、交流であってもよい。直流のコモン電圧が一定であるのに対し、交流のコモン電圧は、図３に示すとおり駆動の極性とともに反転する。図３は、交流のコモン電圧ＶＣＯＭおよび階調信号ＧＳの概略のオシログラムである。ここで、階調信号ＧＳが正の極性（Ｐ）であるとき、コモン電圧ＶＣＯＭは、階調信号ＧＳの電圧よりも低いＶｃｏｍＬへと下げられる。一方、階調信号ＧＳが負の極性（Ｎ）であるときは、コモン電圧ＶＣＯＭが、階調信号ＧＳの電圧よりも高いＶｃｏｍＨへと上げられる。
【０００５】
表示の品質に関し、従来からの中〜小型アナログＴＦＴ‐ＬＣＤパネルのライン反転駆動モードは、クロストークおよびフリッカを容易に生じてしまう。表示品質を向上させるべくドット反転駆動モードが適用されるならば、複雑化する回路ゆえにコストが大幅に増加してしまう。
【発明の開示】
【発明が解決しようとする課題】
【０００６】
したがって、本発明は、ライン反転の階調データをドット反転にて出力でき、ドット反転の表示品質を低いコストで得ることができるアナログ薄膜トランジスタ液晶表示パネル用のドット反転駆動装置を提供することに向けられている。
【０００７】
さらに、本発明は、アナログ薄膜トランジスタ液晶表示パネルのためのドット反転駆動方法を提供する。上記駆動装置と同様、ライン反転の階調データをドット反転にて出力でき、ドット反転の表示品質を低いコストで得ることができる。
【課題を解決するための手段】
【０００８】
上記の目的および他の目的を達成するため、本発明は、アナログ薄膜トランジスタ液晶表示パネル用のドット反転駆動装置を提供する。この駆動装置は、制御回路およびソース・ドライバＩＣを備えている。制御回路が、前段のシステムから薄膜トランジスタ液晶表示パネルの階調信号を受信し、階調信号の順番および極性を再構成し、次いで各フレームの第１半周期において第１のグループの階調信号を出力するとともに、各フレームの第２半周期において第２のグループの階調信号を出力する。ソース・ドライバＩＣが、制御回路によって出力される階調信号を受け取る。第１半周期において、第１のグループの１つの走査線を単位として使用して、ソース・ドライバＩＣが第１のグループの画素へと階調信号を出力し、第２半周期において、第２のグループの１つの走査線を単位として使用して、ソース・ドライバＩＣが第２のグループの画素へと階調信号を出力する。
【０００９】
ここで、制御回路によって受信される階調信号が、その極性をライン反転駆動モードに従って変化させている。前記第１のグループは、前記パネルのすべての奇数番目のデータ線またはすべての偶数番目のデータ線である。前記第２のグループは、前記第１のグループを除く前記パネルのすべてのデータ線である。第１のグループの階調信号において、奇数番目のすべての走査線が第１の極性である一方で、偶数番目のすべての走査線が第２の極性である。さらに、第２のグループの階調信号において、奇数番目のすべての走査線が前記第２の極性である一方で、偶数番目のすべての走査線が前記第１の極性である。
【００１０】
前記アナログ薄膜トランジスタ液晶表示パネル用ドット反転駆動装置の一実施形態においては、制御回路が、さらに第１のクロック信号および第２のクロック信号を出力する。ソース・ドライバＩＣが、第１半周期において前記第１のクロック信号にもとづいて階調信号を受け取り、第２半周期において前記第２のクロック信号にもとづいて階調信号を受け取る。
【００１１】
前記アナログ薄膜トランジスタ液晶表示パネル用ドット反転駆動装置の一実施形態においては、前記パネルのコモン電圧が、交流電圧である。ソース・ドライバＩＣによって出力される階調信号が第１の極性であるとき、前記コモン電圧が第１の電圧であり、ソース・ドライバＩＣによって出力される階調信号が第２の極性であるとき、前記コモン電圧が第２の電圧である。
【００１２】
前記アナログ薄膜トランジスタ液晶表示パネル用ドット反転駆動装置の一実施形態においては、前記第１の極性が、正の極性または負の極性のいずれかである。前記第１の極性が正の極性である場合、前記第２の極性が負の極性であり、前記第１の電圧が階調信号の電圧よりも低く、前記第２の電圧が階調信号の電圧よりも高い。一方、前記第１の極性が負の極性である場合には、前記第２の極性が正の極性であり、前記第１の電圧が階調信号の電圧よりも高く、前記第２の電圧が階調信号の電圧よりも低い。
【００１３】
前記ドット反転駆動装置にもとづき、本発明は、さらに、アナログ薄膜トランジスタ液晶表示パネルのためのドット反転駆動方法を提供する。この方法は、以下のステップを含んでいる。すなわち、まず前段のシステムから薄膜トランジスタ液晶表示パネルの階調信号を受信するステップ、階調信号の順番および極性を再構成した後に、各フレームの第１半周期において、第１のグループの１つの走査線を単位として使用して、第１のグループの画素に第１のグループの階調信号を出力し、各フレームの第２半周期において、第２のグループの１つの走査線を単位として使用して、第２のグループの画素に第２のグループの階調信号を出力するステップ、である。
【発明の効果】
【００１４】
本発明の前記実施形態において説明したとおり、本発明は、従来からのタイミング・コントローラおよびソース・ドライバＩＣを変更し、ライン反転にて階調データを受け取り、階調データの順番および極性を再構成し、次いで階調データを、ライン反転にて２つのグループで出力するため、同じフレームの階調データをドット反転にて配置することができる。本発明においては、階調データがライン反転にて出力されるため、回路が本物のドット反転駆動回路のように複雑になることがなく、したがってドット反転の表示品質をより低いコストで得ることができる。
【００１５】
本発明の前記の目的、特徴、および利点、ならびに他の目的、特徴、および利点を理解しやすくするため、以下で好ましい実施形態を添付の図面とともに詳しく説明する。
【発明を実施するための最良の形態】
【００１６】
図４は、本発明の一実施形態によるアナログＴＦＴ‐ＬＣＤパネル用ドット反転駆動装置の概念図である。図４に示した回路は、画像処理回路４０１、制御回路４０２、およびソース・ドライバＩＣ４０３を備えている。この実施形態のドット反転駆動装置は、制御回路４０２およびソース・ドライバＩＣ４０３を有している。説明を容易にするため、この実施形態は、直流のコモン電圧を使用するものと仮定する。
【００１７】
まず、画像処理回路４０１が、画像信号４１０からＲＧＢ３色のアナログ階調信号Ｖａ、Ｖｂ、およびＶｃを抽出する。ここで、階調信号Ｖａ、Ｖｂ、およびＶｃの極性が、ライン反転駆動モードに従って変えられる。制御回路４０２が、階調信号Ｖａ、Ｖｂ、およびＶｃを受け取るとともに、画像処理回路４０１と同期信号４１２を交換する。次いで制御回路４０２が、階調信号Ｖａ、Ｖｂ、およびＶｃの順番および極性を、階調信号Ｖｏ１〜Ｖｏ３およびＶｅ１〜Ｖｅ３へと再構成する。
【００１８】
階調信号Ｖｏ１〜Ｖｏ３およびＶｅ１〜Ｖｅ３の順番が、図５（Ａ）に示されており、極性は、図５（Ｂ）に示されている。すなわち、制御回路４０２が、階調信号を２つのグループに分割している。第１のグループは、階調信号Ｖｏ１〜Ｖｏ３に対応するパネルのすべての奇数番目のデータ線を含んでおり、第２のグループは、階調信号Ｖｅ１〜Ｖｅ３に対応するパネルのすべての偶数番目のデータ線を含んでいる。ドット反転駆動モードを実装するため、第１のグループと第２のグループとが、反対の駆動極性を有している。Ｐが正の極性を表わし、Ｎが負の極性を表わしている。
【００１９】
制御回路４０２からの制御信号４１１（詳細は後述する）に加えて、さらにソース・ドライバＩＣ４０３は、階調信号Ｖｏ１〜Ｖｏ３およびＶｅ１〜Ｖｅ３を受信する。この実施形態においては、フレームが２つの周期で表示される。各フレームの第１半周期において、制御回路４０２は、ソース・ドライバＩＣ４０３へと第１のグループの階調信号Ｖｏ１〜Ｖｏ３を出力する。ソース・ドライバＩＣ４０３は、階調信号Ｖｏ１〜Ｖｏ３を連続して受け取り、次いで階調信号Ｖｏ１〜Ｖｏ３を第１のグループの画素へと出力する。一方、各フレームの第２半周期においては、制御回路４０２が、ソース・ドライバＩＣ４０３へと第２のグループの階調信号Ｖｅ１〜Ｖｅ３を出力する。ソース・ドライバＩＣ４０３は、階調信号Ｖｅ１〜Ｖｅ３を連続して受け取り、次いで階調信号Ｖｅ１〜Ｖｅ３を第２のグループの画素へと出力する。
【００２０】
上記のプロセスにおいて、パネル上の階調信号の位置は、図６に示すとおりであり、極性は図７に示すとおりである。ここで、Ｇ１およびＧ２が、パネルにおいて隣接する２つの走査線を表わしており、Ｒ、Ｇ、およびＢは、それぞれ赤色、緑色、および青色に対応する３つのサブ画素を表わしている。Ｐは正の極性を表わしており、Ｎは負の極性を表わしている。本発明の特徴は、ソース・ドライバＩＣ４０３が、フレームの第１半周期においては、奇数番目のデータ線の階調信号Ｖｏ１〜Ｖｏ３のみを出力し、フレームの第２半周期においては、偶数番目のデータ線の階調信号Ｖｅ１〜Ｖｅ３のみを出力するというものである。加えて、奇数番目のデータ線の階調信号においては、奇数番目の走査線がすべて正の極性であり、偶数番目の走査線がすべて負の極性である。したがって、ソース・ドライバＩＣ４０３が、常にライン反転にて階調信号を出力しているにもかかわらず、フレーム全体の階調信号の組み合わせは、ドット反転モードにある。
【００２１】
この実施形態のＴＦＴ‐ＬＣＤパネルは、４８０×２３４の解像度を有しており、３つのソース・ドライバＩＣチップを使用している。図４に示したソース・ドライバＩＣチップ４０３は、そのうちの１つである。各画素は、３つのサブ画素で構成されている。したがって、各ソース・ドライバＩＣは、フレームの第１および第２半周期においてそれぞれ２４０本のデータ線、すなわち４８０本のデータ線の階調信号の出力を担当する。
【００２２】
図８は、この実施形態のソース・ドライバＩＣについてのタイミング・チャートであり、フレームの第１半周期において第１のグループの階調信号Ｖｏ１〜Ｖｏ３を受け取っている。ここで、クロック信号ＣＬＫＨ１が、ソース・ドライバＩＣが階調信号Ｖｏ１〜Ｖｏ３を受け取る基準であって、開始パルスＳＴＨ１が、階調信号Ｖｏ１〜Ｖｏ３の受け取りを開始するようソース・ドライバＩＣに伝えている。この実施形態のソース・ドライバＩＣは、開始パルスＳＴＨ１の正のパルスの後のクロック信号ＣＬＫＨ１の立ち上がり縁において、階調信号Ｖｏ１〜Ｖｏ３の受け取りを開始する。ソース・ドライバＩＣは、走査線の当該グループに属する半分を単位として使用して階調信号を受け取って出力する。例えば、第１半周期においては、ソース・ドライバＩＣが、まず走査線全体のうちの奇数番目のサブ画素の階調信号を受け取り、次いで奇数番目のすべてのデータ線に同時に階調信号を出力する。
【００２３】
一方、図９は、この実施形態のソース・ドライバＩＣについてのタイミング・チャートであり、フレームの第２半周期において第２のグループの階調信号Ｖｅ１〜Ｖｅ３を受け取っている。ここで、クロック信号ＣＬＫＨ２が、ソース・ドライバＩＣが階調信号Ｖｅ１〜Ｖｅ３を受け取る基準であって、開始パルスＳＴＨ２が、階調信号Ｖｅ１〜Ｖｅ３の受け取りを開始するようソース・ドライバＩＣに伝えている。先ほどと同じやり方で、この実施形態のソース・ドライバＩＣは、開始パルスＳＴＨ２の正のパルスの後のクロック信号ＣＬＫＨ２の立ち上がり縁において、階調信号Ｖｅ１〜Ｖｅ３の受け取りを開始する。第２半周期において、ソース・ドライバＩＣは、まず走査線全体のうちの偶数番目のサブ画素の階調信号を受け取り、次いで偶数番目のすべてのデータ線に同時に階調信号を出力する。
【００２４】
クロック信号ＣＬＫＨ１、ＣＬＫＨ２および開始パルスＳＴＨ１、ＳＴＨ２はすべて、図４に示した制御回路４０２から由来し、すべて制御信号４１１に含まれている。この実施形態のソース・ドライバＩＣは、クロック信号の立ち上がり縁において階調信号の受け取りを開始しているが、本発明の他の実施形態においては、クロック信号の立ち下がり縁において階調信号の受け取りを開始してもよい。
【００２５】
上述の実施形態においては、この実施形態が直流のコモン電圧を使用するものと仮定している。実際には、この実施形態は、交流のコモン電圧を使用することも可能である。図３に示すように、交流のコモン電圧が使用される場合には、コモン電圧がソース・ドライバによって出力される階調信号の極性とともに変化する。第１のグループであるか第２のグループであるかにかかわらず、走査線の階調信号ＧＳが正の極性（Ｐ）にある場合には、コモン電圧ＶＣＯＭは、階調ＧＳの電圧よりも低いＶｃｏｍＬへと下げられる。一方、同じ線の階調信号ＧＳが負の極性（Ｎ）であるときは、コモン電圧ＶＣＯＭが、階調ＧＳの電圧よりも高いＶｃｏｍＨへと上げられる。
【００２６】
この実施形態のＴＦＴ‐ＬＣＤパネルの走査線の数は偶数であり、したがって、図７に示すとおり、各フレームの第１半周期の最後の走査線の極性は、第２半周期の最初の走査線の極性と同じである。したがって、この時間周期においては、コモン電圧を変化させてはならない。同様に、或るフレームの第２半周期の最後の走査線の極性は、次のフレームの第１半周期の最初の走査線の極性と同じである。したがって、この時間周期においても、やはりコモン電圧を変化させてはならない。この実施形態においては、図４の制御回路４０２が、コモン電圧制御信号を供給し、これが独立した増幅回路（図４には示されていない）によって増幅されてコモン電圧を生成する。
【００２７】
アナログＴＦＴ‐ＬＣＤパネル用のドット反転駆動装置に加えて、さらに本発明は、アナログＴＦＴ‐ＬＣＤパネルのためのドット反転駆動方法を提供する。図１０は、アナログＴＦＴ‐ＬＣＤパネルのための本発明の一実施形態によるドット反転駆動方法のフロー図である。この実施形態の方法のフローは、最後の実施形態の駆動装置の動作の流れと同じである。
【００２８】
最初に、ステップ１０１０において、ＴＦＴ‐ＬＣＤパネルの階調信号が、前段のシステムから受信される。ステップ１０２０において、階調信号の順番および極性が、図４の制御回路４０２のとおり再構成される。次に、ステップ１０３０で、各フレームの第１半周期において、第１のグループの１つの走査線を単位として使用して、第１のグループの階調信号が第１のグループの画素へと出力される。次いで、ステップ１０４０で、各フレームの第２半周期において、第２のグループの１つの走査線を単位として使用して、第２のグループの階調信号が第２のグループの画素へと出力される。ステップ１０３０および１０４０は、階調データが図４の制御回路４０２およびソース・ドライバＩＣ４０３からＴＦＴ‐ＬＣＤパネルの画素へと伝達されるときである。２つのグループの走査線がその駆動極性をどのように変化させるのか、およびコモン電圧がどのように協働するのかについての詳細は、上述の駆動回路において説明されており、したがってここでは繰り返さない。
【００２９】
本発明は、上述の実施形態には限定されない。例えば、上述の実施形態においては、第１のグループが奇数番目のすべての走査線を含み、第２のグループが偶数番目のすべての走査線を含んでいる。代案として、他の実施形態においては、第１のグループが偶数番目のすべての走査線を含み、第２のグループが奇数番目のすべての走査線を含んでいる。２つのグループにおいて、各走査線の極性の構成は、ドット反転駆動モードが実現できる限りにおいて変更可能である。例えば、第１のグループの最初の走査線を負の極性へと変更する一方で、第２のグループの最初の走査線を正の極性へと変更することができる。さらに、上述の実施形態においては、制御回路が、３つのサブ画素の階調信号（例えば、Ｖｏ１〜Ｖｏ３またはＶｅ１〜Ｖｅ３）を同時に出力し、ソース・ドライバＩＣも、同様に３つのサブ画素の階調信号を同時に受け取っている。実際には、一度に少なくとも１つのサブ画素の階調信号が出力されるならば、本発明を実装することができる。
【産業上の利用可能性】
【００３０】
要約すると、本発明は、従来からのタイミング・コントローラおよびソース・ドライバＩＣを変更し、ライン反転にて階調データを受け取り、階調データの順番および極性を再構成し、次いで階調データを、ライン反転にて２つのグループで出力するため、同じフレームの階調データをドット反転にて配置することができる。本発明においては、階調データがライン反転にて出力されるため、回路が本物のドット反転駆動回路のように複雑になることがなく、したがってドット反転の表示品質をより低いコストで得ることができる。
【００３１】
以上、本発明は、その好ましい実施形態について開示されてきた。本発明のこの好ましい実施形態は、本発明を限定する意味で解釈すべきではないことを理解しなければならない。本発明の範囲および精神から逸脱することなく、本発明の構成に様々な変更および変形が可能であることは、当業者にとって明らかである。本発明の保護範囲は、添付の特許請求の範囲およびそれらの等価物による。
【図面の簡単な説明】
【００３２】
【図１】従来のアナログ薄膜トランジスタ液晶表示パネルの駆動回路の概念図である。
【図２】ライン反転駆動モードの画素の極性の概念図である。
【図３】交流のコモン電圧および階調信号電圧の概略オシログラムである。
【図４】本発明の一実施形態によるアナログ薄膜トランジスタ液晶表示パネル用ドット反転駆動装置の概念図である。
【図５】（Ａ）と（Ｂ）は図４に示した制御回路がどのように階調信号の順番および極性を再構成するのかを示す図。
【図６】ドット反転駆動装置がどのように階調信号を出力するのかを示す図。
【図７】ドット反転駆動装置がどのように階調信号を出力するのかを示す。
【図８】本発明の一実施形態に従って階調信号を取得するソース・ドライバのタイミング・チャートである。
【図９】本発明の一実施形態に従って階調信号を取得するソース・ドライバＩＣのタイミング・チャートである。
【図１０】アナログ薄膜トランジスタ液晶表示パネルのための本発明の一実施形態によるドット反転駆動方法のフロー図である。
【符号の説明】
【００３３】
１０１ 画像処理回路
１０２ タイミング・コントローラ
１１０ 画像信号
１１１ 制御信号
１１２ 同期信号
４０１ 画像処理回路
４０２ 制御回路
４０３ チップ
４１０ 画像信号
４１１ 制御信号
４１２ 同期信号 
【図１】
2007156382.tif 000003
【図２】
2007156382.tif 000004
【図３】
2007156382.tif 000005
【図４】
2007156382.tif 000006
【図５】
2007156382.tif 000007
【図６】
2007156382.tif 000008
【図７】
2007156382.tif 000009
【図８】
2007156382.tif 000010
【図９】
2007156382.tif 000011
【図１０】
2007156382.tif 000012